(57)【特許請求の範囲】
【請求項１】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を嵌挿する内筒２０およびそれの外側の径が拡縮する外筒２１ならびにその外筒２１の外周に螺合する締付リング２２を具備するホース接続部ｂとを、一体または一体的に連結してホース継手のボディ３を形成し、そのボディ３内の蛇口装着部ａとホース接続部ｂとの間の流路ｕに一軸減圧弁とした減圧弁機構Ｖを、蛇口装着部ａ側を一次側、ホース接続部ｂ側を二次側として組込んだホース継手。
【請求項２】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設ける嵌合筒部ｃを抜き差し自在に嵌合せしめるニップル状の接続筒部ｄとを、一体または一体的に連結してホース継手のボディ３を形成し、そのボディ３内の、蛇口装着部ａとニップル状の接続筒部ｄとの間の流路ｕに、 蛇口装着部ａ側を一次側、接続筒部ｄ側を二次側とする一軸減圧弁の減圧弁機構Ｖを組み込んだホース継手。
【請求項３】
水道の蛇口１の吐水筒部１ａの外周に固定接続する蛇口装着部ａとホース２を接続するホース接続部ｂとを一体または一体的に連結して形成するホース継手Ａのボディ３内に、感圧盤４２が受ける二次側の圧力変化により軸方向に動く筒状弁４０と、その筒状弁４０を二次側に付勢する減圧用バネ４１と、その筒状弁４０の一次側に向かう端部に装設した弁部４３と、その弁部４３に対向させてボディ３に固定して設ける弁座４４とよりなる一軸減圧弁の減圧弁機構Ｖを組み込んだ請求項１記載のホース継手。
【請求項４】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａのボディ３と、別体に形成されたホース接続部ｂに設けた嵌合筒部ｃに対し抜き差し自在のニップル状の接続筒部ｄとを、一体または一体的に連結してホース継手Ａのボディ３を形成し、それのボディ３内の蛇口装着部ａと接続筒部ｄとの間の流路ｕには、それの中間部位に、ボディ３に一体または一体的に固定した仕切壁５を設けて、流路ｕを一次側となる蛇口装着部ａ側と二次側となる接続筒部ｄ側とに分け、それの一次側の流路ｕに、中央部に弁座４４を装設した弁座金具４５を配してボディ３に一体的に設け、二次側の流路ｕに円柱状のチャンバー６を装設し、そのチャンバー６内に、筒状弁４０をそれの感圧盤４２が軸方向に移動可能に収蔵し、その筒状弁４０の弁部４３側を、前記仕切壁５の中央部に開設せる透孔５０に貫通させて弁座４４に対向させ、筒状弁４０の感圧盤４２と仕切壁５の間に筒状弁４０を二次側に付勢する減圧用バネ４１を設けて一軸減圧弁に構成した減圧弁機構Ｖを組込んだホース継手。
【請求項５】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設けた嵌合筒部ｃに抜き差し自在に接続する接続筒部ｄとを一体または一体的に連結してホース継手のボディ３を構成し、そのボディ３内の蛇口装着部ａとニップル状の接続筒部ｄとの間の流路ｕに、その流路ｕを下流側に流れる流量が規定流量以上となることでその流路ｕの流れを止める遮断弁機構Ｗを組み込んだホース継手。
【請求項６】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設けた嵌合筒部ｃに抜き差し自在に接続するニップル状の接続筒部ｄとを一体または一体的に連結してホース継手のボディ３を構成し、そのホース継手のボディ３内の、蛇口装着部ａと接続筒部ｄとの間の流路ｕに、その流路ｕを下流側に流過する流れの流量変化により軸方向に動く遮断弁７０と、その遮断弁７０を上流側に付勢する遮断バネ７１と、その遮断弁７０の下流側に向かう端面に装設した弁部７２と、それに対向させてホース接続部ｂまたは接続筒部ｄに一体的に設けた弁座７３等により、その流路ｕを下流側に流れる流量が規定流量以上となることでその流路ｕの流れを止めるようにした遮断弁機構Ｗを組み込んだホース継手。
【請求項７】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設けた嵌合筒部ｃに抜き差し自在に接続するニップル状の接続筒部ｄとを一体または一体的に連結してホース継手のボディ３を構成し、そのボディ３内の蛇口装着部ａと接続筒部ｄとの間の流路ｕに、一軸減圧弁に構成した減圧弁機構Ｖと、流路ｕを下流側に流れる流量が規定流量以上となることでその流路ｕの流れを止める遮断弁機構Ｗとを、上流側に減圧弁機構Ｖが位置しそれの下流側に遮断弁機構Ｗが位置するよう流路ｕの流れ方向に直列させて組み込んだホース継手。
【請求項８】
水道の蛇口１の吐水筒部１ａの外周に嵌合して止着ネジ１０により締着する蛇口装着部ａと、別体のホース接続部ｂに設けた嵌合筒部ｃを抜き差し自在に嵌合せしめるニップル状の接続筒部ｄとを、一体または一体的に連結してホース継手Ａのボディ３を形成し、そのボディ３内に組込む減圧弁機構Ｖを、感圧盤４２が受ける二次側の圧力変化により軸方向に動く筒状弁４０と、その筒状弁４０を二次側に付勢する減圧用バネ４１と、その筒状弁４０の一次側に向かう端部に装設した弁部４３と、その弁部４３に対向させてボディ３に固定して設ける弁座４４とよりなる一軸減圧弁の減圧弁機構Ｖとしたことを特徴とする請求項２記載のホース継手。
【請求項９】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを、一体または一体的に連結してホース継手のボディ３を形成し、そのボディ３内の蛇口装着部ａとホース接続部ｂとの間の流路ｕには、それの中間部位に、ボディ３に一体または一体的に固定した仕切壁５を設けて、流路ｕを一次側となる蛇口装着部ａ側と二次側となる接続筒部ｄ側とに分け、それの一次側の流路ｕに、中央部に弁座４４を装設した弁座金具４５を配してボディ３に一体的に設け、二次側の流路ｕに円柱状のチャンバー６を装設し、そのチャンバー６内に筒状弁４０の感圧盤４２を軸方向の移動可能に収蔵し、その筒状弁４０の弁部４３側を、前記仕切壁５の中央部に開設せる透孔５０に貫通させて弁座４４に対向させ、筒状弁４０の感圧盤４２と仕切壁５の間に筒状弁４０を二次側に付勢する減圧用バネ４１を設けてなる一軸減圧弁の減圧弁機構Ｖを、組込んだホース継手。
【請求項１０】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを一体または一体的に連結してホース継手のボディ３を構成し、そのボディ３内の蛇口装着部ａと接続部ｂとの間の流路ｕに、その流路ｕを下流側に流れる流量が規定流量以上となることでその流路ｕの流れを止める遮断弁機構Ｗを組み込んだホース継手。
【請求項１１】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを一体または一体的に連結してホース継手のボディ３を構成し、そのホース継手のボディ３内の、蛇口装着部ａとホース接続部ｂとの間の流路ｕに、その流路ｕを下流側に流過する流れの流量変化により軸方向に動く遮断弁７０と、その遮断弁７０を上流側に付勢する遮断バネ７１と、その遮断弁７０の下流側に向かう端面に装設した弁部７２と、それに対向させてホース接続部ｂまたは接続筒部ｄに一体的に設けた弁座７３等により流路ｕを下流側に流れる流量が規定流量以上となることでその流路ｕの流れを止めるようにした遮断弁機構Ｗを組み込んだホース継手。
【請求項１２】
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを一体または一体的に連結してホース継手のボディ３を構成し、そのボディ３内の蛇口装着部ａとホース接続部ｂとの間の流路ｕに、一軸減圧弁に構成した減圧弁機構Ｖと流路ｕを下流側に流れる流量が規定流量以上となることでその流路ｕの流れを止める遮断弁機構Ｗとを、上流側に減圧弁機構Ｖが位置しそれの下流側に遮断弁機構Ｗが位置するよう流路ｕの流れ方向に直列させて組み込んだホース継手。
【発明の詳細な説明】
【０００１】
【発明が属する技術分野】
本発明は、水道の蛇口にホースを接続するためのホース継手に関する。
さらに具体的いえば、水道の蛇口に接続するホースには、それの先端側に止水バルブが装着されて、ホースの先端側で一次的な止水操作をしながら散水・放水を行なう際に用いられるように蛇口に対し固定装着するようにしたホース継手に関する。
【０００２】
【従来の技術】
上述の接続するホースの先端側に止水バルブが装着される場合に用いられるホース継手Ａは、従前のものにあっては、例えば、図１０に示しているように、水道の蛇口１の外周に嵌合するリング状乃至筒状に形成して蛇口１に対し嵌挿して止着ネジ１０…で止着することにより固定装着する蛇口装着部ａと、ビニール製の散水ホース等のホース２が嵌挿される内筒２０と嵌挿したホース２の外周を締め付ける径が拡縮自在の外筒２１とそれを締め付けるよう外周に螺合する締付リング２２とよりなるホース接続部ｂとが、一体的に連結して、蛇口装着部ａを蛇口１に固定装着した後、ホース接続部ｂにホース２を嵌挿して締付リング２２の締付けによりホース２の接続を行うようにした形態のものがある。
【０００３】
また、図１１および図１２に示しているように、水道の蛇口１に対し嵌合して止着ネジ１０により固定装着するリング状の蛇口装着部ａに対し、ホース２を接続するホース接続部ｂが別体に形成してあって、蛇口装着部ａにはニップル状の接続筒部ｄが一体または一体的に連結させて形成してあり、ホース接続部ｂには、前記ニップル状の接続筒部ｄに抜き差し自在に嵌合して連結固着していく嵌合筒部ｃが一体的に連結してあって、蛇口装着部ａを蛇口１に固定装着した後に、それの接続筒部ｄに、ホース２を接続したホース接続部ｂに連結してある嵌合筒部ｃを嵌挿することで、図１２にあるように、ホース２が蛇口１に接続され、この状態から嵌合筒部ｃの外周に軸方向のスライド自在に嵌装してあるスライド筒２３を、図１２において下方にスライドさせることで、係止片２４が外側に動いて、ニップル状の接続筒部ｄの周面から外れ、その接続筒部ｄからホース接続部ｂを抜き取れるようになる形態のものがある。
【０００４】
【発明が解決しようとする課題】
上述の従前のホース継手は、接続するホースの先端側の止水バルブを装着する場合に対応させて、水道の蛇口１に対する蛇口装着部ａの取り付けおよびホース接続部ｂに対するホース２の接続が、ホース２の先端側での止水バルブの開閉操作によっても脱出がないように強固にしている構成のものであるが、近時においては、水道水の水圧を略５Kg／ｃｍ２  程度にまで上げてきていることから、使用中に種々の不都合な事態が生じてきている。
【０００５】
即ち、接続したホースの先端側の止水バルブにより止水したときに、ホースに高圧の水道圧が加わることで、ホースが膨らみ破けたりする問題があり、また夏場においては、気温・日照によりホースが昇温して柔軟になってくることで、継手から抜け出る事故が生ずる問題がある。また、ホース継手はホースを蛇口に接続しようとするときに、蛇口装着部を蛇口に組み付け装着し、ホースをホース接続部に接続連結するようにし、ホースを使用しないときには、蛇口を閉じて、ホースをホース接続部から取り外すものであるという思想のもとに設計製造されているもので、前述の問題についての対策がとられていないことから、実際に使用される際に、ホースの先端側の止水バルブの閉弁だけで止水し、蛇口を閉弁しないままに放置しておくことが多いことにより、高圧の水道水の圧力でホースに破裂や脱出が生じて思わぬ大きな事故を起こすようになる問題がある。
【０００６】
本発明は従前のホース継手に生じているこの問題を解消するためになされたものであって、接続するホースに高圧が加わらないようにして、ホースの破裂を防止し、また、流量が正常状態の最大流量を大巾に超えるようになったときに流れを止めるようになる新たなホース継手を提供することを目的とする。
【０００７】
【課題を解決するための手段】
そして、本発明においては、この目的を達成するための手段として、請求項１に記載したように、水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を嵌挿する内筒２０およびそれの外側の径が拡縮する外筒２１ならびにその外筒２１の外周に螺合する締付リング２２を具備するホース接続部ｂとを、一体または一体的に連結してホース継手のボディ３を形成し、そのボディ３内の蛇口装着部ａとホース接続部ｂとの間の流路ｕに一軸減圧弁とした減圧弁機構Ｖを、蛇口装着部ａ側を一次側、ホース接続部ｂ側を二次側として組込んだホース継手。
かつ、これに併せて、請求項２〜請求項１２に記載しているような、
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設ける嵌合筒部ｃを抜き差し自在に嵌合せしめるニップル状の接続筒部ｄとを、一体または一体的に連結してホース継手のボディ３を形成し、そのボディ３内の、蛇口装着部ａとニップル状の接続筒部ｄとの間の流路ｕに、 蛇口装着部ａ側を一次側、接続筒部ｄ側を二次側とする一軸減圧弁の減圧弁機構Ｖを組み込んだホース継手。
水道の蛇口１の吐水筒部１ａの外周に固定接続する蛇口装着部ａとホース２を接続するホース接続部ｂとを一体または一体的に連結して形成するホース継手Ａのボディ３内に、感圧盤４２が受ける二次側の圧力変化により軸方向に動く筒状弁４０と、その筒状弁４０を二次側に付勢する減圧用バネ４１と、その筒状弁４０の一次側に向かう端部に装設した弁部４３と、その弁部４３に対向させてボディ３に固定して設ける弁座４４とよりなる一軸減圧弁の減圧弁機構Ｖを組み込んだ請求項１記載のホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａのボディ３と、別体に形成されたホース接続部ｂに設けた嵌合筒部ｃに対し抜き差し自在のニップル状の接続筒部ｄとを、一体または一体的に連結してホース継手Ａのボディ３を形成し、それのボディ３内の蛇口装着部ａと接続筒部ｄとの間の流路ｕには、それの中間部位に、ボディ３に一体または一体的に固定した仕切壁５を設けて、流路ｕを一次側となる蛇口装着部ａ側と二次側となる接続筒部ｄ側とに分け、それの一次側の流路ｕに、中央部に弁座４４を装設した弁座金具４５を配してボディ３に一体的に設け、二次側の流路ｕに円柱状のチャンバー６を装設し、そのチャンバー６内に、筒状弁４０をそれの感圧盤４２が軸方向に移動可能に収蔵し、その筒状弁４０の弁部４３側を、前記仕切壁５の中央部に開設せる透孔５０に貫通させて弁座４４に対向させ、筒状弁４０の感圧盤４２と仕切壁５の間に筒状弁４０を二次側に付勢する減圧用バネ４１を設けて一軸減圧弁に構成した減圧弁機構Ｖを組込んだホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設けた嵌合筒部ｃに抜き差し自在に接続する接続筒部ｄとを一体または一体的に連結してホース継手のボディ３を構成し、そのボディ３内の蛇口装着部ａとニップル状の接続筒部ｄとの間の流路ｕに、その流路ｕを下流側に流れる流量が規定流量以上となることでその流路ｕの流れを止める遮断弁機構Ｗを組み込んだホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設けた嵌合筒部ｃに抜き差し自在に接続するニップル状の接続筒部ｄとを一体または一体的に連結してホース継手のボディ３を構成し、そのホース継手のボディ３内の、蛇口装着部ａと接続筒部ｄとの間の流路ｕに、その流路ｕを下流側に流過する流れの流量変化により軸方向に動く遮断弁７０と、その遮断弁７０を上流側に付勢する遮断バネ７１と、その遮断弁７０の下流側に向かう端面に装設した弁部７２と、それに対向させてホース接続部ｂまたは接続筒部ｄに一体的に設けた弁座７３等により、その流路ｕを下流側に流れる流量が規定流量以上となることでその流路ｕの流れを止めるようにした遮断弁機構Ｗを組み込んだホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、別体のホース接続部ｂに設けた嵌合筒部ｃに抜き差し自在に接続するニップル状の接続筒部ｄとを一体または一体的に連結してホース継手のボディ３を構成し、そのボディ３内の蛇口装着部ａと接続筒部ｄとの間の流路ｕに、一軸減圧弁に構成した減圧弁機構Ｖと、流路ｕを下流側に流れる流量が規定流量以上となることでその流路ｕの流れを止める遮断弁機構Ｗとを、上流側に減圧弁機構Ｖが位置しそれの下流側に遮断弁機構Ｗが位置するよう流路ｕの流れ方向に直列させて組み込んだホース継手。
水道の蛇口１の吐水筒部１ａの外周に嵌合して止着ネジ１０により締着する蛇口装着部ａと、別体のホース接続部ｂに設けた嵌合筒部ｃを抜き差し自在に嵌合せしめるニップル状の接続筒部ｄとを、一体または一体的に連結してホース継手Ａのボディ３を形成し、そのボディ３内に組込む減圧弁機構Ｖを、感圧盤４２が受ける二次側の圧力変化により軸方向に動く筒状弁４０と、その筒状弁４０を二次側に付勢する減圧用バネ４１と、その筒状弁４０の一次側に向かう端部に装設した弁部４３と、その弁部４３に対向させてボディ３に固定して設ける弁座４４とよりなる一軸減圧弁の減圧弁機構Ｖとしたことを特徴とする請求項２記載のホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを、一体または一体的に連結してホース継手のボディ３を形成し、そのボディ３内の蛇口装着部ａとホース接続部ｂとの間の流路ｕには、それの中間部位に、ボディ３に一体または一体的に固定した仕切壁５を設けて、流路ｕを一次側となる蛇口装着部ａ側と二次側となる接続筒部ｄ側とに分け、それの一次側の流路ｕに、中央部に弁座４４を装設した弁座金具４５を配してボディ３に一体的に設け、二次側の流路ｕに円柱状のチャンバー６を装設し、そのチャンバー６内に筒状弁４０の感圧盤４２を軸方向の移動可能に収蔵し、その筒状弁４０の弁部４３側を、前記仕切壁５の中央部に開設せる透孔５０に貫通させて弁座４４に対向させ、筒状弁４０の感圧盤４２と仕切壁５の間に筒状弁４０を二次側に付勢する減圧用バネ４１を設けてなる一軸減圧弁の減圧弁機構Ｖを、組込んだホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを一体または一体的に連結してホース継手のボディ３を構成し、そのボディ３内の蛇口装着部ａと接続部ｂとの間の流路ｕに、その流路ｕを下流側に流れる流量が規定流量以上となることでその流路ｕの流れを止める遮断弁機構Ｗを組み込んだホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを一体または一体的に連結してホース継手のボディ３を構成し、そのホース継手のボディ３内の、蛇口装着部ａとホース接続部ｂとの間の流路ｕに、その流路ｕを下流側に流過する流れの流量変化により軸方向に動く遮断弁７０と、その遮断弁７０を上流側に付勢する遮断バネ７１と、その遮断弁７０の下流側に向かう端面に装設した弁部７２と、それに対向させてホース接続部ｂまたは接続筒部ｄに一体的に設けた弁座７３等により流路ｕを下流側に流れる流量が規定流量以上となることでその流路ｕの流れを止めるようにした遮断弁機構Ｗを組み込んだホース継手。
水道の蛇口１の吐水筒部１ａの外周に嵌合するリング状乃至筒状に形成して、その吐水筒部１ａに嵌挿し止着ネジ１０による締着により蛇口１に装着する蛇口装着部ａと、ホース２を接続するホース接続部ｂとを一体または一体的に連結してホース継手のボディ３を構成し、そのボディ３内の蛇口装着部ａとホース接続部ｂとの間の流路ｕに、一軸減圧弁に構成した減圧弁機構Ｖと流路ｕを下流側に流れる流量が規定流量以上となることでその流路ｕの流れを止める遮断弁機構Ｗとを、上流側に減圧弁機構Ｖが位置しそれの下流側に遮断弁機構Ｗが位置するよう流路ｕの流れ方向に直列させて組み込んだホース継手。
の手段を提起するものである。
【０００８】
【発明の実施の形態】
本発明手段によるホース継手は、リング状乃至筒状に形成して、水道の蛇口１の吐出筒部１ａに嵌挿し止着ネジ１０による締着により蛇口１に固定装着する蛇口装着部ａと、ホース２を嵌挿する内筒２０およびそれの外側の径が拡縮する外筒２１ならびにその外筒２１の外周に螺合する締付リング２２を具備するホース接続部ｂとが、一体または一体的に連結接続してボディ３を形成している形態のホース継手Ａにあっては、図１にあるように、それのボディ３の内腔で、蛇口装着部ａ内に蛇口１から吐出されて下流側（先端側）のホース接続部ｂに流れる水道水の流路ｕ内に、減圧弁機構Ｖを、それの一次側が蛇口装着部ａ側に位置し二次側がホース接続部ｂ側に位置する状態として組み込むようにする。
【０００９】
このとき、ボディ３は、蛇口１に嵌着する蛇口装着部ａとホース接続部ｂとの間の中間部位を、軸方向（図１において上下方向）に延長させて中間胴部３ａを形成し、それの内腔に円柱状のチャンバー６を形成して、そこに減圧弁機構Ｖを収蔵せしめるようにしてよい。
【００１０】
減圧弁機構Ｖは、蛇口１の吐出筒部１ａから蛇口装着部ａ内に吐出されてホース接続部ｂに接続したホース２に向け、ボディ３内の流路ｕを流れる水道水の圧力を調圧制御して所定の一定圧力に低下させるように機能するものであればよく適宜に構成してよいが、図１にある実施例のように、感圧盤４２が受ける二次側の圧力変化により軸方向に動く筒状弁４０と、その筒状弁４０を二次側に付勢する減圧用バネ４１と、筒状弁４０の一次側に向かう端部に装設した弁部４３と、その弁部４３に対向させてボディ３に固定して設ける弁座４４とにより構成する一軸減圧弁機構Ｖとすることが有効である。
【００１１】
このとき、中間胴部３ａ内には、それの軸方向の中間部位に仕切壁５をボディ３に一体または一体的に装設し、それの中央部位に筒状弁４０が摺動自在に嵌挿される透孔５０を形成して、ボディ３内の流路ｕを、この仕切壁５より蛇口装着部ａ側となる一次側と仕切壁５よりホース接続部ｂ側となる二次側とに分け、それの一次側の流路ｕには、弁座金具４５をボディ３に一体的に連結させて配設し、それの中央部位に弁座４４を装設し、二次側の流路ｕには、円柱状のチャンバー６を形成して、そこに、筒状弁４０の感圧盤４２を、軸方向の移動可能に収蔵し、この感圧盤４２に連結する筒状弁４０の弁部４３側を、仕切壁５の中央部に開設した透孔５０に貫通させて、それの端部の弁部４３を前述の弁座４４に対向させ、感圧盤４２を二次側に付勢する減圧用バネ４１を、この仕切壁５と感圧盤４２との間に懸架するようにする。筒状弁４０に形成する感圧盤４２は、各実施例の図面にあるように、それの二次側の圧力を受ける受圧面となる底面側を、平板状に形成している。
【００１２】
このように設ける仕切壁５は、図２にあるようにボディ３とは別体に形成しておいて、ボディ３内に嵌挿し、弁座金具４５とともにボディ３に一体的に連結するように組み付けるようにしてよい。
【００１３】
このようにして構成するホース継手Ａは、蛇口装着部ａを蛇口１に嵌着し、ホース接続部ｂにホース２を接続して使用する際、蛇口１から吐出してくる水道水の圧力を減圧弁機構Ｖにより調圧して、所定の低い圧力とする。吐出してくる圧力が高いときは、それによりホース接続部ｂ側の二次側の圧力の上昇により感圧盤４２が一次側に動いて弁部４３と弁座４４との間隔を図２にあるように狭めて流過していく水道水の流量を少なくし、二次側の圧力を低くし、一定圧力に保持させるようになる。
【００１４】
また、図３にあるように、ホース継手Ａが、蛇口１に嵌着する蛇口装着部ａと、ホース２を接続するホース接続部ｂとが別体に形成してあって、蛇口装着部ａ側に設けたニップル状の接続筒部ｄに、ホース接続部ｂ側に設けた嵌合筒部ｃを抜き差し自在に嵌合して連結させる形態のものである場合には、蛇口装着部ａと接続筒部ｄとで形成されるボディ３内に減圧弁機構Ｖを組み込むようにする。
【００１５】
この蛇口装着部ａと接続筒部ｄとで形成するボディ３内に組み込む減圧弁機構Ｖは、前述の蛇口装着部ａとホース接続部ｂとで形成せるボディ３内に組み込む減圧弁機構Ｖと同様に、水道水の圧力を、所定の一定圧力に低下させるよう調圧制御する機能のものであればよく、適宜に構成してよいものであり、それの一次側が蛇口装着部ａ側に位置し、二次側が接続筒部ｄ側に位置するようにボディ３内に組み込むことも同様である。
【００１６】
また、この減圧弁機構Ｖを組み込むボディ３も、蛇口装着部ａに連続するのがホース接続部ｂに換わって接続筒部ｄとなっているだけで前述の例のボディ３と変わりはなく、それの蛇口装着部ａと接続筒部ｄとの中間部を軸方向に長く形成して中間胴部３ａを形成して、それの内腔にチャンバー６を形成し、そこに減圧弁機構Ｖを組み込むようにしてよい。
【００１７】
そして、図３に示す例においては、前述の図１および図２に示した例のものと同様の構成の一軸減圧弁機構Ｖが組み込んであって、各構成部材については、同じ構成部材について同一の符号を付してある。
【００１８】
この形態のホース継手Ａは、蛇口１に蛇口装着部ａを嵌着し、それに連続してボディ３を形成しているニップル状の接続筒部ｄに、ホース２を接続したホース接続部ｂに設けてある嵌合筒部ｃを嵌合連結して使用するとき、蛇口１から吐出してくる水道水の圧力を、図４にあるように、ボディ３内に設けた減圧弁機構Ｖの調圧作動により、所定圧力に低下させるようになり、また、ホース２の先端側の止水バルブの閉弁により二次側の圧力が高くなると、図５の如く、減圧弁機構Ｖが閉弁して、二次側への吐水を遮断し、二次側の圧力の上昇を阻止するようになる。
【００１９】
次に、図６はホース継手Ａが、それにより蛇口１に接続したホース２の先端側に止水バルブを装着した状態で使用されている場合において、止水バルブを閉弁して蛇口１を開いたままに放置しておいたことで生じる事故に対処させるよう、ホース２に脱出・破裂が生じたときに自動的に止水が行なわれるよう、蛇口装着部ａのボディ３内に遮断弁機構Ｗを組み込んだ手段を示している。
【００２０】
この手段においても、ホース継手Ａが、図６にあるよう、蛇口装着部ａのボディ３にホース接続部ｂが一体または一体的に接続している形態のものであっても、また、図７にあるように、蛇口装着部ａのボディ３に、別体のホース接続部ｂに設けた嵌合筒部ｃと装脱自在に嵌合して連結する接続筒部ｄが、一体または一体的に接続している形態のものであっても、遮断弁機構Ｗは、蛇口装着部ａのボディ３内の、蛇口装着部ａから流入してホース接続部ｂまたは接続筒部ｄに向けて流れる水道水の流路ｕに組み込む。
【００２１】
この遮断弁機構Ｗは、ボディ３内の流路ｕを下流側に流れる水道水の流量が、規定流量以上となることでその流れをボディ３内において止めるように機能すればよく、その構造は適宜に構成してよい。
【００２２】
図６および図７に示している例においては、ボディ３の蛇口装着部ａとホース接続部ｂまたは接続筒部ｄとの間の中間部位を軸方向に長く延長して、このボディ３の中間胴部３ａ内に円柱状のチャンバー６を形成し、それの内腔の上流側となる蛇口装着部ａ側の端部に、抵抗リング７を軸方向に摺動自在に嵌装し、これの中央部位に遮断弁７０のボディを一体または一体的に装設し、その遮断弁７０の下流側に向かう先端側の端部に椀状に形成した弁部７２を設け、この遮断弁７０を、チャンバー６の下流側の内壁面と前記抵抗リング７との間に装架した遮断バネ７１により上流側に付勢しておき、チャンバー６の下流側の端部の中央部位に、遮断弁７０の先端側の端部に設けた弁部７２と対向する弁座７３をリング状に設けておくことで、流路ｕを流れる水道水の流量が規定流量以上となると、その水流が抵抗リング７を流下することにより遮断弁７０が下流側に押し出されて先端の弁部７２が図８にあるように弁座７３に衝合して流路ｕを遮断する遮断弁機構Ｗを構成するようにしている。
【００２３】
次に図９は、この遮断弁機構Ｗを前述した減圧弁機構Ｖと併せて、ボディ３内に組み込んだ例を示している。
【００２４】
この例においては、ボディ３の中間胴部３ａは、前述の減圧弁機構Ｖと遮断弁機構Ｗのうちの一方をボディ３内に組み込んだホース継手Ａの例の中間胴部３ａよりも、さらに一層軸方向に長く延長してあり、それにより形成した軸方向に長いチャンバー６に、減圧弁機構Ｖと遮断弁機構Ｗとを、上流側からその順に並列して組み込んである。
【００２５】
これら減圧弁機構Ｖおよび遮断弁機構Ｗは、図１乃至図５および図６乃至図８に示した例のものと同様の構成のもので、同じ構成部材について同じ符号を付している。
【００２６】
また、この図９に示している減圧弁機構Ｖと遮断弁機構Ｗとの両方をボディ３内に組み込んでいる例は、その蛇口装着部ａのボディ３に接続筒部ｄが連結させてある形態のものであるが、そのボディ３にホース接続部ｂが連結してある形態のものであっても、減圧弁機構Ｖおよび遮断弁機構Ｗは同じようにボディ３内に組み込んでよい。
【００２７】
【発明の効果】
以上説明したように、本発明手段によるホース継手は、それの蛇口装着部のボディ内に、減圧弁機構または遮断弁機構またはそれらの両方を組み込むようにしているのだから、蛇口にホース継手によりホースを接続し、そのホースの先端側に止水バルブを装着して、散水・放水を行なうときに、ホースには高圧が加わらないようになって、ホースの破裂が防止され、また、ホースが破裂したり脱出したりしても、自動的に流れが止まるようになるので、蛇口を閉じないで止水バルブだけを閉弁した状態で放置しておいても、大きな事故が防止され安心である。
【図面の簡単な説明】
【図１】  本発明手段を実施せるホース継手の縦断側面図である。
【図２】  同上ホース継手の作用の説明図である。
【図３】  同上ホース継手の別の形態の例の縦断側面図である。
【図４】  同上ホース継手の二次側の圧を調圧している状態の説明図である。
【図５】  同上ホース継手の二次側の圧力が高くなり閉弁した状態の説明図である。
【図６】  同上ホース継手のボディ内に遮断弁機構を組み込んだ例の縦断側面図である。
【図７】  同上ホース継手の別の実施例の縦断側面図である。
【図８】  同上ホース継手の規定以上の流量が流れて遮断弁が閉弁した状態の説明図である。
【図９】  同上ホース継手のボディ内に減圧弁機構と遮断弁機構との両方を組み込んだ例の縦断側面図である。
【図１０】  従前のホース継手の縦断側面図である。
【図１１】  従前のホース継手のセパレート型の形態のものの斜視図である。
【図１２】  同上ホース継手の連結した状態の縦断面図である。
【符号の説明】
Ａ…ホース継手、Ｖ…減圧弁機構・一軸減圧弁機構、Ｗ…遮断弁機構、ａ…蛇口装着部、ｂ…ホース接続部、ｃ…嵌合筒部、ｄ…接続筒部、ｕ…流路、１…蛇口、１ａ…吐出筒部、１０…止着ネジ、２…ホース、２０…内筒、２１…外筒、２２…締付リング、２３…スライド筒、２４…係止片、３…ボディ、３ａ…中間胴部、４０…筒状弁、４１…減圧用バネ、４２…感圧盤、４３…弁部、４４…弁座、４５…弁座金具、５…仕切壁、５０…透孔、６…チャンバー、７…抵抗リング、７０…遮断片、７１…遮断バネ、７２…弁部、７３…弁座。
【図１】
0003711013.tif 000002
【図２】
0003711013.tif 000003
【図３】
0003711013.tif 000004
【図４】
0003711013.tif 000005
【図５】
0003711013.tif 000006
【図６】
0003711013.tif 000007
【図７】
0003711013.tif 000008
【図８】
0003711013.tif 000009
【図９】
0003711013.tif 000010
【図１０】
0003711013.tif 000011
【図１１】
0003711013.tif 000012
【図１２】
0003711013.tif 000013